【手続補正書】
【提出日】平成20年5月27日(2008.5.27)
【手続補正１】
【補正対象書類名】特許請求の範囲
【補正対象項目名】全文
【補正方法】変更
【補正の内容】
【特許請求の範囲】
【請求項１】
電気化学的アクチュエータであって、
ａ．負電極；
ｂ．正電極；および
ｃ．挿入種、
を備え、該電気化学的アクチュエータが、印加電圧または印加電流に曝露される場合、または初期の充電状態から放電させられる場合、該アクチュエータの電極のうちの少なくとも１つへの該種の挿入または脱挿入が生じ；該アクチュエータの体積変化または寸法変化および少なくとも１％の線形ひずみを生じる、電気化学的アクチュエータ。
【請求項２】
前記体積変化または寸法変化が、前記負電極においての変化であるか、前記正電極においての変化であるか、またはこれらの組み合わせである、請求項１に記載の電気化学的アクチュエータ。
【請求項３】
前記負電極または正電極が、挿入の際に、相変化、異方性膨張または異方性収縮を受ける、請求項１に記載の電気化学的アクチュエータ。
【請求項４】
前記負電極、正電極、またはこれらの組み合わせが、リチウムまたはリチウム−金属合金であり、該リチウムまたはリチウム−金属合金が、結晶性であっても、ナノ結晶性であっても、非晶質であってもよい、請求項１に記載の電気化学的アクチュエータ。
【請求項５】
前記負電極、正電極、またはこれらの組み合わせが、アルミニウム、銀、金、ホウ素、ビスマス、ガリウム、ゲルマニウム、インジウム、鉛、アンチモン、ケイ素、スズ、またはこれらの組み合わせを含有する、請求項１に記載の電気化学的アクチュエータ。
【請求項６】
前記電極が、黒鉛、炭素繊維構造体、グラッシーカーボン構造体、高配向性熱分解黒鉛、無秩序炭素構造体またはこれらの組み合わせの形態の炭素を含有する、請求項１に記載の電気化学的アクチュエータ。
【請求項７】
前記挿入種が、イオンである、請求項１に記載の電気化学的アクチュエータ。
【請求項８】
前記挿入種が、プロトン、またはアルカリ金属またはアルカリ土類金属である、請求項１に記載の電気化学的アクチュエータ。
【請求項９】
前記負電極、正電極、またはこれらの組み合わせが、粒子の多孔性凝集物を含有する、請求項１に記載の電気化学的アクチュエータ。
【請求項１０】
多孔性セパレータをさらに備える、請求項１に記載の電気化学的アクチュエータ。
【請求項１１】
前記負電極が、金属リチウムを含有し、そして前記正電極が、アルミニウム、銀、金、ホウ素、ビスマス、ガリウム、ゲルマニウム、インジウム、鉛、アンチモン、ケイ素、スズ、またはこれらの組み合わせを含有する、請求項４に記載の電気化学的アクチュエータ。
【請求項１２】
前記負電極が、金属リチウムを含有し、そして前記正電極が、アルミニウムを含有する、請求項４に記載の電気化学的アクチュエータ。
【請求項１３】
前記負電極が、金属リチウムを含有し、そして前記正電極が、銀を含有する、請求項４に記載の電気化学的アクチュエータ。
【請求項１４】
前記負電極が、金属リチウムを含有し、そして前記正電極が、金を含有する、請求項４に記載の電気化学的アクチュエータ。
【請求項１５】
前記負電極が、金属リチウムを含有し、そして前記正電極が、ホウ素を含有する、請求項４に記載の電気化学的アクチュエータ。
【請求項１６】
前記負電極が、金属リチウムを含有し、そして前記正電極が、ビスマスを含有する、請求項４に記載の電気化学的アクチュエータ。
【請求項１７】
前記負電極が、金属リチウムを含有し、そして前記正電極が、ガリウムを含有する、請求項４に記載の電気化学的アクチュエータ。
【請求項１８】
前記負電極が、金属リチウムを含有し、そして前記正電極が、ゲルマニウムを含有する、請求項４に記載の電気化学的アクチュエータ。
【請求項１９】
前記負電極が、金属リチウムを含有し、そして前記正電極が、インジウムを含有する、請求項４に記載の電気化学的アクチュエータ。
【請求項２０】
前記負電極が、金属リチウムを含有し、そして前記正電極が、鉛を含有する、請求項４に記載の電気化学的アクチュエータ。
【請求項２１】
前記負電極が、金属リチウムを含有し、そして前記正電極が、アンチモンを含有する、請求項４に記載の電気化学的アクチュエータ。
【請求項２２】
前記負電極が、金属リチウムを含有し、そして前記正電極が、ケイ素を含有する、請求項４に記載の電気化学的アクチュエータ。
【請求項２３】
前記負電極が、金属リチウムを含有し、そして前記正電極が、スズを含有する、請求項４に記載の電気化学的アクチュエータ。
【請求項２４】
目的の流体をポンプ送りするための電気化学的ポンプであって、
該目的の流体をポンプ送りするように配置されたポンプ；ならびに
電気化学的アクチュエータであって、該電気化学的アクチュエータは、負電極、正電極、および挿入種を備え、該電気化学的アクチュエータは、印加電圧または印加電流に曝露され、該電圧または電流の印加または休止は、該電極のうちの少なくとも１つへの該種の挿入を誘導し、該アクチュエータの体積変化または寸法変化を生じるか、あるいは該電極のうちの１つは、最初に該挿入種を濃縮され、そして該挿入種の供給源として働き、該種の脱挿入の際に、該アクチュエータの体積変化または寸法変化を生じる、電気化学的アクチュエータ、
を備え、該アクチュエータの体積変化および／または寸法変化が該ポンプに該目的の流体をポンプ送りさせるように、該ポンプが該アクチュエータに接続されている、電気化学的ポンプ。
【請求項２５】
前記体積変化または寸法変化が、前記アクチュエータの放電の際に起こる、請求項２４に記載の電気化学的ポンプ。
【請求項２６】
前記体積変化または寸法変化が、前記アクチュエータの充電の際に起こる、請求項２４に記載の電気化学的ポンプ。
【請求項２７】
少なくとも１つの電極がリチウムを含有する、請求項２４に記載の電気化学的ポンプ。
【請求項２８】
少なくとも１つの電極がリチウム合金を含有する、請求項２４に記載の電気化学的ポンプ。
【請求項２９】
前記電気化学的アクチュエータが充電状態で提供され、そして外部電源に接続されていない、請求項２４に記載の電気化学的ポンプ。
【請求項３０】
前記電気化学的アクチュエータが放電状態で提供され、そして外部電源に接続されている、請求項２４に記載の電気化学的ポンプ。
【請求項３１】
前記電気化学的アクチュエータが、電解質をさらに備え、該アクチュエータの体積変化および／または寸法変化が、前記ポンプの一部分の直接的な移動を引き起こして、該ポンプに前記目的の流体をポンプ送りさせる、請求項２４に記載の電気化学的ポンプ。
【請求項３２】
前記電気化学的アクチュエータが、電解質をさらに備え、そして該アクチュエータの体積変化および／または寸法変化が、液圧流体の移動を引き起こし、その結果、該液圧流体の移動が、前記ポンプに前記目的の流体をポンプ送りさせる、請求項２４に記載の電気化学的ポンプ。
【請求項３３】
前記液圧流体が電解質である、請求項３２に記載の電気化学的ポンプ。
【請求項３４】
前記液圧流体が電解質ではない、請求項３２に記載の電気化学的ポンプ。
【請求項３５】
前記体積変化または寸法変化が、前記負電極において起こる、請求項２４に記載の電気化学的ポンプ。
【請求項３６】
前記体積変化または寸法変化が、前記正電極において起こる、請求項２４に記載の電気化学的ポンプ。
【請求項３７】
前記体積変化または寸法変化が、前記負電極と前記正電極との両方において起こる、請求項２４に記載の電気化学的ポンプ。
【請求項３８】
目的の流体をポンプ送りするための単回使用の使い捨て電気化学的ポンプであって、
該目的の流体をポンプ送りするために配置されたポンプ；ならびに
電気化学的アクチュエータであって、該電気化学的アクチュエータは、負電極、正電極、および挿入種を備え、該電気化学的アクチュエータは、印加電圧または印加電流に曝露され、該電圧または電流の印加または休止は、該電極のうちの少なくとも１つへの該種の挿入を誘導し、該アクチュエータの体積変化または寸法変化を生じる、電気化学的アクチュエータ、
を備え、該アクチュエータの体積変化および／または寸法変化が該ポンプに該目的の流体をポンプ送りさせるように、該ポンプが該アクチュエータに接続されている、電気化学的ポンプ。